【手続補正書】
【提出日】平成18年12月14日(2006.12.14)
【手続補正１】
【補正対象書類名】明細書
【補正対象項目名】特許請求の範囲
【補正方法】変更
【補正の内容】
【特許請求の範囲】
【請求項１】局部洗浄水が噴出される噴出孔を有し、一定の軌跡上を動くノズルを有する局部洗浄装置において、
前記噴出孔への前記局部洗浄水の供給を制御する制御弁を有する局部洗浄水供給手段と、
前記軌跡上の所定位置に、前記ノズルを包囲した洗浄部屋を構成する洗浄部屋構成部材と、
前記制御弁の上流から分岐し、前記洗浄部屋構成部材にノズル洗浄用の洗浄水を供給するノズル洗浄水供給手段と、
前記局部洗浄水供給手段およびノズル洗浄水供給手段による洗浄水供給動作を制御する制御手段と、
を備えたことを特徴とする局部洗浄装置。
【請求項２】請求項１に記載の局部洗浄装置において、
前記制御手段は、前記ノズルの移動と同期して前記ノズル洗浄水供給手段に洗浄水供給動作を実行させることを特徴とする局部洗浄装置。
【請求項３】請求項１又は２に記載の局部洗浄装置において、
前記制御手段は、前記ノズルの伸出と同期して前記ノズル洗浄水供給手段に洗浄水供給動作を実行させることを特徴とする局部洗浄装置。
【請求項４】請求項３に記載の局部洗浄装置において、
前記制御手段は、前記ノズルの伸出開始から所定時間遅らせて前記ノズル洗浄水供給手段に洗浄水供給動作を開始させることを特徴とする局部洗浄装置。
【請求項５】請求項１又は２に記載の局部洗浄装置において、
前記制御手段は、前記ノズルの後退と同期して前記ノズル洗浄水供給手段に洗浄水供給動作を実行させることを特徴とする局部洗浄装置。
【請求項６】請求項５に記載の局部洗浄装置において、
前記制御手段は、前記ノズルの後退終了から所定時間早めて前記ノズル洗浄水供給手段の洗浄水供給動作を終了させることを特徴とする局部洗浄装置。
【請求項７】請求項２〜６のうちいずれか１項に記載の局部洗浄装置において、
前記制御手段は、所定の条件が成立したときに、前記ノズル洗浄水供給手段の洗浄水供給動作を禁止することを特徴とする局部洗浄装置。
【請求項８】請求項７に記載の局部洗浄装置において、
前記ノズルを内蔵し、便器に装着される本体と、
前記本体が前記便器から取り外されたことを検出する着脱検出手段と、
を備え、
前記制御手段は、前記着脱検出手段に基づいて本体が便器から取り外されたことが検出されたときに、前記ノズル洗浄水供給手段の洗浄水供給動作を禁止することを特徴とする局部洗浄装置。
【請求項９】請求項７に記載の局部洗浄装置において、
前記ノズルに備えられ、流路として互いに独立した複数の噴出孔と、
前記複数の噴出孔の噴射要求先が切替られたことを検出する切替検出手段と、
を備え、
前記制御手段は、前記切替検出手段によって前記複数の噴出孔の使用要求先が切替られたことが検出されたとき、前記ノズル洗浄水供給手段の洗浄水供給動作を禁止することを特徴とする局部洗浄装置。
【請求項１０】請求項１〜９のうちいずれか１項に記載の局部洗浄装置において、
前記局部洗浄水供給手段は、前記局部洗浄水供給手段と前記ノズル洗浄水供給手段とが分岐する部分より下流に前記局部洗浄水を加熱する温水タンクを備えたことを特徴とする局部洗浄装置。
【請求項１１】請求項７に記載の局部洗浄装置において、
前記局部洗浄水供給手段に備えられ、局部洗浄水を加熱する加熱部と、
前記局部洗浄水の温度を検出する温水温度検出手段と、
を備え、
前記制御手段は、前記温水温度検出手段に基づく局部洗浄水の温度が所定温度以上であることが検出されたときに、前記ノズル洗浄水供給手段の洗浄水供給動作を禁止することを特徴とする局部洗浄装置。
【請求項１２】請求項１〜１１のうちいずれか１項に記載の局部洗浄装置において、
前記洗浄部屋構成部材は、前記ノズルが収納位置にあるときに、前記ノズルの少なくとも先端を包囲するよう配設され、
前記制御手段は、前記ノズルが収納位置にあるとき、前記局部洗浄水供給手段に局部洗浄水の供給動作を実行させることを特徴とする局部洗浄装置。
【請求項１３】請求項１〜１２のうちいずれか１項に記載の局部洗浄装置において、
前記制御手段は、局部洗浄水供給手段とノズル洗浄水供給手段の洗浄水供給動作とを排他的に実行させることを特徴とする局部洗浄装置。
【請求項１４】請求項１〜１３のうちいずれか１項に記載の局部洗浄装置において、
前記ノズルの表面に、フイルムを装着したことを特徴とする局部洗浄装置。
【手続補正２】
【補正対象書類名】明細書
【補正対象項目名】００１１
【補正方法】変更
【補正の内容】
【００１１】
請求項３の局部洗浄装置は、請求項１又は２に記載の局部洗浄装置において、前記制御手段は、前記ノズルの伸出と同期して前記ノズル洗浄水供給手段に洗浄水供給動作を実行させることを特徴とする局部洗浄装置である。
【手続補正３】
【補正対象書類名】明細書
【補正対象項目名】００１５
【補正方法】変更
【補正の内容】
【００１５】
請求項５の局部洗浄装置は、請求項１又は２に記載の局部洗浄装置において、前記制御手段は、前記ノズルの後退と同期して前記ノズル洗浄水供給手段に洗浄水供給動作を実行させることを特徴とする局部洗浄装置である。
【手続補正４】
【補正対象書類名】明細書
【補正対象項目名】００１９
【補正方法】変更
【補正の内容】
【００１９】
請求項７の局部洗浄装置は、請求項２〜６のうちいずれか１項に記載の局部洗浄装置において、前記制御手段は、所定の条件が成立したときに、前記ノズル洗浄水供給手段の洗浄水供給動作を禁止することを特徴とする局部洗浄装置である。
【手続補正５】
【補正対象書類名】明細書
【補正対象項目名】００２５
【補正方法】変更
【補正の内容】
【００２５】
請求項１０に記載の局部洗浄装置は、請求項１〜９のうちいずれか１項に記載の局部洗浄装置において、前記局部洗浄水供給手段は、前記局部洗浄水供給手段と前記ノズル洗浄水供給手段とが分岐する部分より下流に前記局部洗浄水を加熱する温水タンクを備えたことを特徴とする局部洗浄装置である。
【手続補正６】
【補正対象書類名】明細書
【補正対象項目名】００２９
【補正方法】変更
【補正の内容】
【００２９】
請求項１２に記載の局部洗浄装置は、請求項１〜１１のうちいずれか１項に記載の局部洗浄装置において、前記洗浄部屋構成部材は、前記ノズルが収納位置にあるときに、前記ノズルの少なくとも先端を包囲するよう配設され、前記制御手段は、前記ノズルが収納位置にあるとき、前記局部洗浄水供給手段に局部洗浄水の供給動作を実行させることを特徴とする局部洗浄装置である。
【手続補正７】
【補正対象書類名】明細書
【補正対象項目名】００３１
【補正方法】変更
【補正の内容】
【００３１】
請求項１３に記載の局部洗浄装置は、請求項１〜１２のうちいずれか１項に記載の局部洗浄装置において、前記制御手段は、局部洗浄水供給手段とノズル洗浄水供給手段の洗浄水供給動作とを排他的に実行させることを特徴とする局部洗浄装置である。
【手続補正８】
【補正対象書類名】明細書
【補正対象項目名】００３３
【補正方法】変更
【補正の内容】
【００３３】
請求項１４に記載の局部洗浄装置は、請求項１〜１３のうちいずれか１項に記載の局部洗浄装置において、前記ノズルの表面に、フイルムを装着したことを特徴とする局部洗浄装置である。請求項１４に記載の局部洗浄装置によれば、ノズルの表面にフィルムが装着されているので、ノズル表面の凹凸がなくなり排泄物が付着しにくく、ノズルを清潔に保つことができる。